(57)【要約】【課題】項目設定の入力のサポート性に優れた設定制御方法を提供することである。【解決手段】実施形態に係る設定制御方法は、設定制御装置により実行される設定制御方法であって、所定項目に関する関連項目の設定状況に応じて、前記所定項目の選択に対応して関連項目設定部を出力し前記所定項目及び前記関連項目の設定を受け付ける第１の設定処理と、前記所定項目の選択に対応して前記所定項目の設定を受け付ける第２の設定処理とを選択的に実行し、前記所定項目及び前記関連項目の設定、又は前記所定項目の設定を記憶する。【選択図】図２
2019204543.tif 000002
【特許請求の範囲】
【請求項１】
設定制御装置により実行される設定制御方法であって、
所定項目に関する関連項目の設定状況に応じて、前記所定項目の選択に対応して関連項目設定部を出力し前記所定項目及び前記関連項目の設定を受け付ける第１の設定処理と、前記所定項目の選択に対応して前記所定項目の設定を受け付ける第２の設定処理とを選択的に実行し、
前記所定項目及び前記関連項目の設定、又は前記所定項目の設定を記憶する設定制御方法。
【請求項２】
前記関連項目が未設定の場合に前記所定項目の選択に対応して前記第１の設定処理を実行し、前記関連項目が設定済みの場合に前記所定項目の選択に対応して前記第２の設定処理を実行する請求項１の設定制御方法。
【請求項３】
前記所定項目を表示するための第１の表示情報、前記関連項目設定部を出力させる指示入力を受け付ける指示入力部を表示するための第２の表示情報、及び前記指示入力部からの指示入力に対応して前記関連項目設定部を表示するための第３の表示情報のうちの１以上の情報を出力する請求項１又は２の設定制御方法。
【請求項４】
前記関連項目の未設定の場合に前記第１の表示情報を出力し、前記関連項目の設定済みの場合に前記第１及び第２の表示情報を出力する請求項３の設定制御方法。
【請求項５】
所定項目に関する関連項目の設定状況に応じて、前記所定項目の選択に対応して関連項目設定部を出力し前記所定項目及び前記関連項目の設定を受け付ける第１の設定処理と、前記所定項目の選択に対応して前記所定項目の設定を受け付ける第２の設定処理とを選択的に実行する手順と、
前記所定項目の設定及び前記関連項目の設定、又は前記所定項目の設定を記憶する手順とをコンピュータに実行させるためのプログラム。
【発明の詳細な説明】
【技術分野】
【０００１】
本発明の実施形態は、設定制御方法及びプログラムに関する。
【背景技術】
【０００２】
近年、ユーザインターフェース（User Interface）に関する様々な提案がなされている。例えば、プリンタの分野では、プリンタに接続されるパーソナルコンピュータ等の端末にプリンタドライバが設定される。ユーザは、プリンタドライバに基づくプリンタ設定画面等のUIを介して、プリントに関する複数のメイン設定項目、及び各メイン設定項目に関するサブ設定項目（詳細設定項目）を設定することができる。
【０００３】
例えば、サブ設定項目の入力方法には、指定入力方法と自動入力方法等がある。指定入力方法では、ユーザが、プリンタ設定画面中に一覧表示された複数のメイン設定項目から１項目を選択する（これに対応して１項目が設定される）。その後、ユーザが、設定したメイン設定項目に対応するサブ設定項目の入力ウインドウの起動操作を実行する。この起動操作に対応してサブ設定項目の入力ウインドウが起動し、ユーザは、サブ設定項目の入力ウインドウを介して、サブ設定項目を入力する。また、自動入力方法では、ユーザが、一覧表示された複数のメイン設定項目から１項目を選択すると（これに対応して１項目が設定され）、この１項目に関するサブ設定項目の入力ウインドウが自動的に起動する。ユーザは、自動的に起動したサブ設定項目の入力ウインドウを介して、サブ設定項目を入力する。
【０００４】
例えば、メイン設定項目としてプライベートプリントが設定され、プライベートプリントに関するサブ設定項目としてパスワードが設定されると、端末からプリンタへ出力されるプリントデータのプリントアウトにはパスワードが要求される。プリンタは、入力されるパスワードと設定されたパスワードとが一致する場合に、プリントデータに基づくプリントアウトを実行する。
【先行技術文献】
【特許文献】
【０００５】
【特許文献１】特開２００６−１５９５４３号公報
【発明の概要】
【発明が解決しようとする課題】
【０００６】
上記した指定入力方法の場合、サブ設定項目の入力ウインドウの起動操作が必要であり、場合によってはユーザにとってその起動操作は面倒である。また、ユーザによる起動操作が必要なため、サブ設定項目の入力忘れが生じやすくなる。一方の自動入力方法の場合、メイン設定項目を選択する度に、サブ設定項目の入力ウインドウが起動する。例えば、サブ設定項目が設定済みであり、しかもサブ設定項目の設定に変更が無い場合でも、メイン設定項目を選択する度に、サブ設定項目の入力ウインドウが起動する。このため、ユーザが毎回のサブ設定項目の入力ウインドウの起動を煩わしく感じることがある。
【０００７】
本発明の目的は、項目設定の入力のサポート性に優れた設定制御方法及びプログラムを提供することにある。
【課題を解決するための手段】
【０００８】
実施形態に係る設定制御方法は、設定制御装置により実行される設定制御方法であって、所定項目に関する関連項目の設定状況に応じて、前記所定項目の選択に対応して関連項目設定部を出力し前記所定項目及び前記関連項目の設定を受け付ける第１の設定処理と、前記所定項目の選択に対応して前記所定項目の設定を受け付ける第２の設定処理とを選択的に実行し、前記所定項目及び前記関連項目の設定、又は前記所定項目の設定を記憶する。
【図面の簡単な説明】
【０００９】
【図１】実施形態に係る画像形成システムの概略構成の一例を示すブロック図である。
【図２】実施形態に係るプリンタ設定画面等のUIにおける項目設定制御の一例を示すフローチャートである。
【図３】実施形態に係るプリンタ設定画面（第１の遷移状態）の一例を示す図である。
【図４】実施形態に係るプリンタ設定画面（第２の遷移状態）の一例を示す図である。
【図５】実施形態に係るプリンタ設定画面（第３の遷移状態）の一例を示す図である。
【図６】実施形態に係るプリンタ設定画面（第４の遷移状態）の一例を示す図である。
【図７】実施形態に係るプリンタ設定画面（異なる表示形式のコントロールアイコンを含む）の一例を示す図である。
【発明を実施するための形態】
【００１０】
以下、実施形態について図面を参照して説明する。
【００１１】
図１は、実施形態に係る画像形成システムの概略構成の一例を示すブロック図である。図１に示すように、例えば、画像形成システムは、プリンタ１、ネットワーク２、サーバ３、端末４を備える。例えば、プリンタ１は、通信部１１、記憶部１２、制御部１３、表示部１４、入力部１５、プリント部１６を備える。端末４は、例えばパーソナルコンピュータであり、通信部４１、記憶部４２、制御部４３、表示部４４、入力部４５を備える。
【００１２】
プリンタ１の通信部１１は、ネットワーク２及びサーバ３を介して、端末４の通信部４１と通信可能に構成される。記憶部１２は、プリンタ１の動作に必要な各種制御プログラム、プリントデータ、プリントに関するメイン設定項目（所定項目）、及び各メイン設定項目に関するサブ設定項目（関連項目）等を記憶する。制御部１３は、上記した各種制御プログラム、メイン設定項目、及びサブ設定項目に基づき、プリントデータに対応するプリントを制御する。プリンタ１は、制御部１３のプリント制御に基づき、プリントデータに対応するプリントを実行する。
【００１３】
また、表示部１４及び入力部１５は、ユーザインターフェース（User Interface）として機能し、メイン設定項目及びサブ設定項目が設定可能となっている。例えば、表示部１４に対応してタッチパネルとしての入力部１５が配置される。ユーザは、タッチパネルを介して、表示部１４に表示されるプリンタ設定画面の複数のメイン設定項目の中から１項目を選択したり、プリンタ設定画面のサブ設定ウインドウからサブ設定項目を入力したりすることができる。制御部１３は、選択されたメイン設定項目及び入力されたサブ設定項目を設定したりする。記憶部１２は、メイン設定項目及びサブ設定項目の設定を記憶する。
【００１４】
端末４の通信部４１は、ネットワーク２及びサーバ３を介して、プリンタ１の通信部１１と通信可能に構成される。記憶部４２は、プリンタドライバ、プリントデータ、プリントに関するメイン設定項目（所定項目）、及び各メイン設定項目に関するサブ設定項目（関連項目）等を記憶する。例えば、通信部４１は、プリンタ１に対して、プリントデータ、メイン設定項目、及びサブ設定項目等を送信する。制御部３３は、プリンタドライバ、メイン設定項目、及びサブ設定項目に基づき、プリントデータに対応するプリントを制御する。
【００１５】
また、表示部４４及び入力部４５は、UIとして機能し、メイン設定項目及びサブ設定項目が設定可能となっている。例えば、入力部４５は、マウス、キーボード、及びタッチパネル等のうちの少なくとも一つにより構成される。ユーザは、入力部４５を介して、表示部４４に表示されるプリンタ設定画面の複数のメイン設定項目の中から１項目を選択したり、プリンタ設定画面のサブ設定ウインドウからサブ設定項目を入力したりすることができる。制御部４３は、選択されたメイン設定項目及び入力されたサブ設定項目を設定したりする。記憶部４２は、メイン設定項目及びサブ設定項目の設定を記憶する。
【００１６】
以下、端末４（表示部４４及び入力部４５）で出力（表示）されるプリンタ設定画面等のUIにおける項目設定制御について説明する。なお、プリンタ１で出力（表示）されるプリンタ設定画面等のUIにおける項目設定制御も同様であるが、その説明は省略する。
【００１７】
図２は、実施形態に係るプリンタ設定画面等のUIにおける項目設定制御の一例を示すフローチャートである。図３は、実施形態に係るプリンタ設定画面（第１の遷移状態）の一例を示す図である。
【００１８】
制御部４３は、プリンタ設定画面を表示するための表示情報を出力する。これに対応して、図３に示すように、表示部４４は、プリンタ設定画面を表示する。プリンタ設定画面は、ジェネラル（General）、フィニッシング（finishing）、クオリティ（Quality）等のタブ１１０を備える。ジェネラルのタブは、プリントジョブ（Print job）等の一次設定項目１１１を備える。
【００１９】
例えば、ユーザが、入力部４５を介して、一次設定項目１１１（例えばプリントジョブ）を選択する（ＡＣＴ１０１）。これに対応して、制御部４３は、選択された一次設定項目１１１に属する二次設定項目（メイン設定項目）１１２を一覧表示するための表示情報（第１の表示情報）を出力する。プリンタ設定画面は、メイン設定項目１１２として、ノーマルプリント（Normal Print）、スケジュールプリント（Scheduled Print）、及びプライベートプリント（Private Print）等を備える。スケジュールプリントは、指定された日時にプリントを実行させるためのモードである。プライベートプリントは、プリント時に事前に登録されたパスワード入力を要求し適切なパスワード入力を条件としてプリントを実行するモードである。
【００２０】
また、メイン設定項目１１２が、三次設定項目（サブ設定項目）を有する場合、制御部４３は、サブ設定項目を設定するためのサブ設定部（サブ設定ウインドウ）１１３（図４参照）を出力（起動）させる指示入力（起動指示入力）を受け付ける指示入力部（コントロールアイコン）１１４を表示するための表示情報（第２の表示情報）を出力する。これらに対応して、表示部４４は、メイン設定項目１１２を一覧表示し、また、メイン設定項目１１２の表示に対応してコントロールアイコン１１４を表示する（ＡＣＴ１０２）。
【００２１】
例えば、図３に示すように、スケジュールプリント１１２はサブ設定項目（プリント指定日時等）を有するので、スケジュールプリント１１２の表示に対応してスケジュールプリント１１２のサブ設定ウインドウ（関連項目設定部）１１３を起動させるためのコントロールアイコン１１４が表示される。また、プライベートプリントもサブ設定項目（パスワード等）を有するので、プライベートプリント１１２の表示に対応してプライベートプリント１１２のサブ設定ウインドウ（関連項目設定部）１１３を起動させるためのコントロールアイコン１１４が表示される。なお、ノーマルプリント１１２はサブ設定項目を有さないので、ノーマルプリント１１２の表示に対応するコントロールアイコン１１４は表示されない。
【００２２】
制御部４３は、メイン設定項目１１２に関するサブ設定項目の設定状況に応じて、第１の設定処理と、第２の設定処理とを選択的に実行する。例えば、第１の設定処理は、メイン設定項目１１２の選択に対応して、サブ設定項目を設定するためのサブ設定ウインドウ１１３を出力（表示）し、サブ設定ウインドウ１１３を介してサブ設定項目の設定を受け付ける処理である。サブ設定項目が設定されると、設定されたサブ設定項目とともにメイン設定項目１１２の設定が受け付けられる。また、第２の設定処理は、メイン設定項目１１２の選択に対応してそのままメイン設定項目１１２の設定を受け付ける処理である。
【００２３】
例えば、ユーザが、入力部４５を介して、プライベートプリント１１２を選択した場合に（ＡＣＴ１０３、ＹＥＳ）、プライベートプリント１１２に関するサブ設定項目が未設定であれば（ＡＣＴ１０４、ＹＥＳ）、制御部４３は、この選択に対応して、プライベートプリント１１２に対応するサブ設定ウインドウ１１３を起動し、サブ設定ウインドウ１１３を表示するための表示情報を出力する（ＡＣＴ１０６）。つまり、制御部４３は、プライベートプリント１１２に関するサブ設定項目のサブ設定ウインドウ１１３の起動指示がなくても、プライベートプリント１１２に関するサブ設定項目が未設定の場合には、プライベートプリント１１２の選択に対応してサブ設定ウインドウ１１３を起動し、サブ設定ウインドウ１１３を表示するための表示情報を出力する。
【００２４】
これに対応して、図４に示すように、表示部４４は、プライベートプリント１１２に関するサブ設定項目のサブ設定ウインドウ１１３を表示する。例えば、サブ設定ウインドウ１１３において、パスワードの入力が要求される。例えば、図５に示すように、ユーザは、入力部４５を介して、サブ設定ウインドウ１１３に対してパスワードを入力する（ＡＣＴ１０７）。制御部４３は、パスワードの入力に対応して、プライベートプリント１１２に関するサブ設定項目を設定済みとして管理するとともに、設定されたパスワードに対応付けてプライベートプリント１１２を設定する（ＡＣＴ１０８）。記憶部４２は、設定されたパスワード、及びプライベートプリントの設定を記憶（登録）する。この場合、図６に示すように、プリンタ設定画面は、プライベートプリント１１２の設定完了の状態を表示する。
【００２５】
このように、制御部４３は、サブ設定項目が未設定である場合に、サブ設定ウインドウ１１３を起動させるので、ユーザは、サブ設定ウインドウ１１３の起動操作を指示しなくても、メイン設定項目を選択するだけで、自動的に起動し表示されるサブ設定ウインドウ１１３を介してサブ設定項目を入力することができる。これにより、ユーザは、煩わしいサブ設定ウインドウ１１３の起動操作から解放される。また、サブ設定項目の入力忘れ等を防止することもできる。
【００２６】
なお、制御部４３は、プリンタドライバが設定されてから最初にプライベートプリント１１２が選択された場合には、プライベートプリント１１２に関するサブ設定項目は未設定であるため、図４に示すサブ設定ウインドウ１１３を起動する。また、制御部４３は、プライベートプリント１１２に関するサブ設定項目が設定済みであっても、端末４に電力供給が開始されてから最初に（起動又は再起動後の最初に）プライベートプリント１１２が選択された場合に、図４に示すサブ設定ウインドウ１１３を起動するようにしてもよい。これにより、起動又は再起動時に、サブ設定項目が設定済みであることを確認させることができる。前回の端末のユーザと、起動又は再起動後の端末のユーザが異なることも想定されるため、この起動又は再起動時に、サブ設定ウインドウ１１３を起動し、サブ設定項目を確認させることは有効である。
【００２７】
また、ユーザが、入力部４５を介して、図３に示すプライベートプリント１１２を選択した場合に（ＡＣＴ１０３、ＹＥＳ）、プライベートプリント１１２に関するサブ設定項目が設定済みであれば（ＡＣＴ１０４、ＮＯ）、制御部４３は、この選択に対応して、プライベートプリント１１２に対応するサブ設定ウインドウ１１３を起動せずに、プライベートプリントを設定する（ＡＣＴ１０８）。つまり、設定済みのパスワードに対応付けてプライベートプリントが設定（記憶）される。この場合、図６に示すように、プリンタ設定画面は、プライベートプリント１１２の設定完了の状態を表示する。これにより、サブ設定項目が設定済みの場合に、メイン設定項目を選択する度にサブ設定ウインドウ１１３が起動するような煩わしさから解放される。
【００２８】
例えば、プライベートプリント１１２に関するサブ設定項目が設定済みの状態で、ユーザが、サブ設定項目を変更してプライベートプリント１１２を設定しようとする場合には、ユーザは、入力部４５を介して、図３のプリンタ設定画面中のプライベートプリント１１２に対応するコントロールアイコン１１４を選択する（ＡＣＴ１０５、ＹＥＳ）。制御部４３は、この選択に対応して、プライベートプリント１１２に対応するサブ設定ウインドウ１１３を起動し、サブ設定ウインドウ１１３を表示するための表示情報（第３の表示情報）を出力する（ＡＣＴ１０６）。この場合、表示部４４が、図４に示すサブ設定ウインドウ１１３を表示してもよいし、図５に示すサブ設定ウインドウ１１３を表示してもよい。
【００２９】
例えば、サブ設定項目の変更を重視する場合、図４に示すサブ設定ウインドウ１１３を表示し、変更の入力を即座に受け付けるようにする。また、サブ設定項目の確認を重視する場合、図５に示すサブ設定ウインドウ１１３を表示し、一旦、設定済みのサブ設定項目を表示し、必要に応じて、サブ設定項目の変更を受け付ける。図５に示すサブ設定ウインドウ１１３はパスワードの表示例であるため、パスワードが記号に置換されて表示されているが、パスワード以外であれば、実際のサブ設定項目（設定済みの情報）が表示される。これにより、サブ設定項目が設定済みであっても、ユーザは、コントロールアイコン１１４を選択しサブ設定ウインドウ１１３を起動させて、サブ設定ウインドウ１１３からサブ設定項目を設定し直したり、サブ設定項目を確認したりすることができる。
【００３０】
なお、上記説明では、制御部４３は、メイン設定項目１１２の表示に対応してコントロールアイコン１１４を表示するケースについて説明したが、本実施形態はこれに限定されるものではない。例えば、制御部４３は、サブ設定項目が未設定の場合には、メイン設定項目１１２の選択に対応してサブ設定ウインドウ１１３を起動するため、メイン設定項目１１２に対応してコントロールアイコン１１４を表示しないようにしてもよい。なお、制御部４３は、サブ設定項目が設定済みの場合には、メイン設定項目１１２の選択に対応してサブ設定ウインドウ１１３を起動しないため、メイン設定項目１１２に対応してコントロールアイコン１１４を表示する。これにより、ユーザは、コントロールアイコン１１４の表示の有無から、サブ設定項目の設定状況を知ることもできる。
【００３１】
或いは、サブ設定項目を有するメイン設定項目１１２に対応してコントロールアイコン１１４を表示するようにした上で、サブ設定項目の設定状態に応じて、異なる表示形式でコントロールアイコン１１４を表示するようにしてもよい。例えば、図７に示すように、スケジュールプリント１１２のサブ設定項目が設定済みの場合、スケジュールプリント１１２に対応して、第１の表示形式（例えば第１の色、記号、又は文字）のコントロールアイコン１１４ａを表示し、プライベートプリント１１２のサブ設定項目が未設定の場合、プライベートプリント１１２に対応して、第２の表示形式（例えば第２の色、記号、又は文字）のコントロールアイコン１１４ｂで表示する。これにより、ユーザは、コントロールアイコン１１４ａ（例えば青、設定済み）又はコントロールアイコン１１４ｂ（例えば赤、未設定）を見て、サブ設定項目が設定済みか未設定かを判断することができる。これにより、ユーザの意に反したコントロールアイコン１１４ａ又は１１４ｂの誤選択を防止することもできる。
【００３２】
或いは、サブ設定項目の設定状態に応じて、異なる表示形式でメイン設定項目１１２を表示するようにしてもよい。例えば、スケジュールプリント１１２のサブ設定項目が設定済みの場合、第１の表示形式（例えば第１の色、記号、又は文字）でスケジュールプリント１１２を表示し、プライベートプリント１１２のサブ設定項目が未設定の場合、第２の表示形式（例えば第２の色、記号、又は文字）でスケジュールプリント１１２を表示する。これにより、ユーザは、スケジュールプリント１１２の項目表示を見て、サブ設定項目が設定済みか未設定かを判断することができる。これにより、ユーザの意に反したコントロールアイコン１１４の誤選択を防止することもできる。
【００３３】
以上説明したように、制御部４３は、サブ設定項目の設定状況（例えば未設定）に応じて、メイン設定項目１１２の選択に対応してサブ設定ウインドウ１１３を起動し、サブ設定ウインドウ１１３を介してサブ設定項目の設定を受け付け、メイン設定項目１１２及びサブ設定項目の設定を完了する。これにより、ユーザによるサブ設定ウインドウ１１３の起動操作を省略することができ、また、サブ設定項目の入力忘れも防止できる。また、サブ設定項目の設定状況（例えば設定済み）に応じて、メイン設定項目１１２の選択に対応してサブ設定ウインドウ１１３を起動せずに、メイン設定項目１１２の設定を完了する。これにより、ユーザは、毎回のサブ設定項目の設定操作から解放される。さらに、メイン設定項目１１２に対応付けてコントロールアイコン１１４を設けたことにより、ユーザの意志によって、コントロールアイコン１１４によりサブ設定ウインドウ１１３の起動を制御することもできる。さらに、コントロールアイコン１１４の表示形式や表示の有無から、サブ設定項目の設定状況を知ることもできる。
【００３４】
なお、本実施形態では、サブ設定項目を入力するためのサブ設定ウインドウ１１３の起動について説明し、例えば図４及び図５に示すように、そのサブ設定ウインドウ１１３がプリンタ設定画面中に表示される例について説明したが、この例だけに限定されるものではない。例えば、プリンタ設定画面の一部にサブ設定項目を設け、サブ設定項目の入力を要求するタイミングでサブ設定項目を第１の表示形式で表示（アクティブ表示）するとともにサブ設定項目の入力を受け付け、入力を要求しないタイミングでサブ設定項目を第２の表示形式で表示（非アクティブ表示）するようにしてもよい。
【００３５】
また、制御部４３は、毎回のプリントジョブに対して固定的にサブ設定項目を設定することもできるし、プリントジョブ毎にサブ設定項目を設定することもできる。例えば、制御部４３は、ユーザ操作に応じて、所定アプリケーションを起動しプリントジョブを準備する。固定的にサブ設定項目を設定するケース（第１のサブ設定方式）では、一度、サブ設定項目を設定すれば、所定アプリケーションを起動しプリントジョブが準備されると、そのプリントジョブに対しては、設定済みのサブ設定項目が有効となる。プリントジョブ毎にサブ設定項目を設定するケース（第２のサブ設定方式）では、一度、サブ設定項目を設定しても、所定アプリケーションの終了により設定されたサブ設定項目はキャンセルされ、再度、所定アプリケーションを起動しプリントジョブが準備されると、そのプリントジョブに対しては、サブ設定項目は未設定であるためサブ設定項目の設定が必要となる。
【００３６】
例えば、プリンタ設定画面が、第１のサブ設定方式又は第２のサブ設定方式の何れが選択されているかを示す情報を含むようにしてもよい。例えば、プリントジョブ（Print job）等の一次設定項目１１１に対応して、第１のサブ設定方式又は第２のサブ設定方式の何れが選択されているかを示す情報を表示する。或いは、プライベートプリント等の二次設定項目１１２に対応して、第１のサブ設定方式又は第２のサブ設定方式の何れが選択されているかを示す情報を表示する。
【００３７】
なお、上記制御、処理、及び表示の手順は全てソフトウェアによって実行することが可能である。このため、上記処理の手順を実行するプログラムを格納したコンピュータ読み取り可能な記憶媒体を通じてこのプログラムをプリンタ１又は端末４にインストールして実行するだけで、プリンタ１又は端末４において上記制御、処理、及び表示を容易に実現することができる。
【００３８】
例えば、入力部１５又は４５を介して、コンピュータ読み取り可能な記憶媒体から上記プログラムを読み取り、記憶部１２又は４２等に読み取ったプログラムを記憶し、プログラムのインストールを完了することができる。或いは、通信部１１又は４１を介して、上記プログラムをダウンロードし、記憶部１２又は４２等にダウンロードしたプログラムを記憶し、プログラムのインストールを完了することができる。これにより、プリンタ１又は端末４の制御部１３又は４３は、インストールされた上記プログラムに基づき、上記制御、処理、及び表示を容易に実現することができる。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１…プリンタ、２…ネットワーク、３…サーバ、４…端末（ＰＣ）、１１…通信部、１２…記憶部、１３…制御部、１４…表示部（UI）、１５…入力部（UI）、１６…プリント部、４１…通信部、４２…記憶部、４３…制御部、４４…表示部（UI）、４５…入力部（UI）
【図１】
2019204543.tif 000003
【図２】
2019204543.tif 000004
【図３】
2019204543.tif 000005
【図４】
2019204543.tif 000006
【図５】
2019204543.tif 000007
【図６】
2019204543.tif 000008
【図７】
2019204543.tif 000009
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
設定制御装置により実行される設定制御方法であって、
複数の所定項目を表示するための第１の表示情報と、各所定項目に関する関連項目設定部を出力させる指示入力を受け付ける指示入力部を前記各所定項目に表示するための第２の表示情報を出力し、前記第２の表示情報は、関連項目の設定が設定済みの場合の表示形態と、関連項目の設定が未設定の場合の表示形態が異なる、
所定項目に関する関連項目が未設定の場合に、表示された所定項目の選択に対応して前記関連項目設定部を出力し前記所定項目及び前記関連項目の設定を受け付け、
前記関連項目が設定済みの場合に、表示された所定項目の選択に対応して前記所定項目の設定を受け付け、
前記所定項目及び前記関連項目の設定、又は前記所定項目の設定を記憶する設定制御方法。
【請求項２】
前記指示入力部の選択に対応して前記関連項目設定部を出力し前記関連項目の設定を受け付ける請求項１の設定制御方法。
【請求項３】
複数の所定項目を表示するための第１の表示情報と、各所定項目に関する関連項目設定部を出力させる指示入力を受け付ける指示入力部を前記各所定項目に表示するための第２の表示情報を出力する手順と、
前記第２の表示情報は、関連項目の設定が設定済みの場合の表示形態と、関連項目の設定が未設定の場合の表示形態が異なり、
所定項目に関する関連項目が未設定の場合に、表示された所定項目の選択に対応して前記関連項目設定部を出力し前記所定項目及び前記関連項目の設定を受け付ける手順と、
前記関連項目が設定済みの場合に、表示された所定項目の選択に対応して前記所定項目の設定を受け付ける手順と、
前記所定項目及び前記関連項目の設定、又は前記所定項目の設定を記憶する手順とをコンピュータに実行させるためのプログラム。
【請求項４】
前記指示入力部の選択に対応して前記関連項目設定部を出力し前記関連項目の設定を受け付ける手順をさらにコンピュータに実行させるための請求項３のプログラム。
【手続補正２】
【補正対象書類名】明細書
【補正対象項目名】００３９
【補正方法】変更
【補正の内容】
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
以下、本願の出願当初の特許請求の範囲に記載された発明を付記する。
［Ｃ１］
設定制御装置により実行される設定制御方法であって、
所定項目に関する関連項目の設定状況に応じて、前記所定項目の選択に対応して関連項目設定部を出力し前記所定項目及び前記関連項目の設定を受け付ける第１の設定処理と、前記所定項目の選択に対応して前記所定項目の設定を受け付ける第２の設定処理とを選択的に実行し、
前記所定項目及び前記関連項目の設定、又は前記所定項目の設定を記憶する設定制御方法。
［Ｃ２］
前記関連項目が未設定の場合に前記所定項目の選択に対応して前記第１の設定処理を実行し、前記関連項目が設定済みの場合に前記所定項目の選択に対応して前記第２の設定処理を実行する［Ｃ１］の設定制御方法。
［Ｃ３］
前記所定項目を表示するための第１の表示情報、前記関連項目設定部を出力させる指示入力を受け付ける指示入力部を表示するための第２の表示情報、及び前記指示入力部からの指示入力に対応して前記関連項目設定部を表示するための第３の表示情報のうちの１以上の情報を出力する［Ｃ１］又は［Ｃ２］の設定制御方法。
［Ｃ４］
前記関連項目の未設定の場合に前記第１の表示情報を出力し、前記関連項目の設定済みの場合に前記第１及び第２の表示情報を出力する［Ｃ３］の設定制御方法。
［Ｃ５］
所定項目に関する関連項目の設定状況に応じて、前記所定項目の選択に対応して関連項目設定部を出力し前記所定項目及び前記関連項目の設定を受け付ける第１の設定処理と、前記所定項目の選択に対応して前記所定項目の設定を受け付ける第２の設定処理とを選択的に実行する手順と、
前記所定項目の設定及び前記関連項目の設定、又は前記所定項目の設定を記憶する手順とをコンピュータに実行させるためのプログラム。